(57)【要約】【課題】シール部材を像保持体に接触させ且つ静電気による現像剤の付着を抑制する。【解決手段】現像装置１００は、感光体６０に形成された静電潜像を現像するトナーＭを保持する現像ロール１１０と、現像ロール１１１０の上方且つ保持したトナーＭが接触しない位置に設けられ一端部２０２が固定され他端部２０４が感光体６０に接触したシート状で絶縁性のシール部材２００と、保持したトナーＭが接触しない位置でシール部材２００の下面２００Ａに重ねられ一端部２２２がシール部材２００の一端部２０２に接合され、他端部２２４が感光体６０に非接触の導電性フィルム２２０と、を備えている。【選択図】図３
2020154206.tif 000002
【特許請求の範囲】
【請求項１】
像保持体に形成された静電潜像を現像する現像剤を保持する現像剤保持体と、
前記現像剤保持体の上方且つ保持した前記現像剤が接触しない位置に設けられ、一端部が固定され、他端部が前記像保持体に接触したシート状で絶縁性のシール部材と、
前記現像剤保持体が保持した前記現像剤が接触しない位置で前記シール部材の下面に重ねられ、一端部が前記シール部材の前記一端部に接合され、他端部が前記像保持体に非接触の導電性フィルムと、
を備えた現像装置。
【請求項２】
現像剤を外周面に保持した状態で現像容器の開口部から一部が露出し、保持した前記現像剤で像保持体に形成された静電潜像を現像する現像剤保持体と、
露出した前記現像剤保持体の前記外周面の上方に配置され、一端部が固定され、他端部が前記像保持体に接触したシート状で絶縁性のシール部材であって、前記現像剤保持体の前記外周面の同心円とされ、前記外周面と対向する前記現像容器の内壁の開口部側端部を通る仮想曲線よりも径方向外側に配置されたシール部材と、
前記外周面の上方且つ前記仮想曲線よりも外側に配置され、前記シール部材の下面に重ねられ、一端部が前記シール部材の前記一端部に接合され、他端部が前記像保持体に非接触の導電性フィルムと、
を備えた現像装置。
【請求項３】
前記シール部材の前記他端部は、前記導電性フィルムの前記他端部よりも前記像保持体側に延びている、
請求項１又は請求項２に記載の現像装置。
【請求項４】
前記導電性フィルムの側端部は、前記シール部材の側端部よりも幅方向外側に張り出している、
請求項１〜請求項３のいずれか１項に記載の現像装置。
【請求項５】
前記導電性フィルムの厚みは、前記シール部材の厚みよりも薄い、
請求項１〜請求項４のいずれか１項に記載の現像装置。
【請求項６】
前記導電性フィルムの厚みは、前記シール部材の厚みの１／２以下である、
請求項５に記載の現像装置。
【請求項７】
前記導電性フィルムの曲げ剛性は、前記シール部材の曲げ剛性よりも小さい、
請求項１〜請求項４のいずれか１項に記載の現像装置。
【請求項８】
前記導電性フィルムの曲げ剛性は、前記シール部材の曲げ剛性の１／２以下である、
請求項７に記載の現像装置。
【請求項９】
前記導電性フィルムは、電気的に浮いている、
請求項１〜請求項８のいずれか１項に記載の現像装置。
【請求項１０】
前記導電性フィルムには、電圧が印加されている、
請求項１〜請求項８のいずれか１項に記載の現像装置。
【請求項１１】
前記導電性フィルムには、前記現像剤と同極性の直流電圧が印加されている、
請求項１０に記載の現像装置。
【請求項１２】
前記導電性フィルムには、交流電圧が印加されている、
請求項１０に記載の現像装置。
【請求項１３】
前記導電性フィルムには、前記交流電圧に加え、前記現像剤と同極性の直流電圧が重畳されている、
請求項１２に記載の現像装置。
【請求項１４】
前記導電性フィルムには、前記現像剤保持体と同じ電圧が印加されている、
請求項１０に記載の現像装置。
【請求項１５】
前記導電性フィルムは、前記現像剤保持体に電気的に接続されている、
請求項１４に記載の現像装置。
【請求項１６】
請求項１〜請求項１５のいずれか１項に記載の現像装置で像保持体に現像剤像を形成すし、前記像保持体に形成された前記現像剤像を記録媒体に転写する画像形成部と、
前記記録媒体に転写された前記現像剤像を定着させる定着装置と、
を備えた画像形成装置。
【発明の詳細な説明】
【技術分野】
【０００１】
本発明は、現像装置及び画像形成装置に関する。
【背景技術】
【０００２】
特許文献１には、紙面や装置内へのトナー落ちを防止する現像装置に関する技術が開示されている。この先行技術では、現像剤担持体と、現像剤担持体に担持された現像剤の層厚を規制する現像剤規制部材と、現像剤規制部材により層厚が規制された現像剤が静電潜像担持体に接触する現像ニップ近傍に配置されたトナー飛散防止用の遮蔽板とを有する現像装置と、を備えている。また、現像剤規制部材から現像ニップにかけての範囲内に現像剤規制部材により層厚を規制された現像剤と所定の間隔を置いて可撓性部材を設置している。そして、可撓性部材は少なくとも現像剤担持体側の面が導電性を有している。
【０００３】
また、その他関連する技術が、特許文献２、特許文献３及び特許文献４に開示されている。
【先行技術文献】
【特許文献】
【０００４】
【特許文献１】特開２００５−２０１９４３号公報
【特許文献２】特開２００４−３１７５６７号公報
【特許文献３】特開２００９−１５７１１７号公報
【特許文献４】特開２０００−０６６５０６号公報
【発明の概要】
【発明が解決しようとする課題】
【０００５】
現像剤保持体の上方且つ保持した現像剤が接触しない位置に設けるシート状で絶縁性のシール部材を像保持体に接触させた構成は、現像剤保持体に現像剤が落下する虞がある。
【０００６】
本発明は、上記事実を鑑み、現像剤保持体の上方且つ保持した現像剤が接触しない位置に設けるシート状で絶縁性のシール部材のみを備えている場合と比較し、現像剤保持体への現像剤の落下を抑制することが目的である。
【課題を解決するための手段】
【０００７】
第１態様は、像保持体に形成された静電潜像を現像する現像剤を保持する現像剤保持体と、前記現像剤保持体の上方且つ保持した前記現像剤が接触しない位置に設けられ、一端部が固定され、他端部が前記像保持体に接触したシート状で絶縁性のシール部材と、前記現像剤保持体が保持した前記現像剤が接触しない位置で前記シール部材の下面に重ねられ、一端部が前記シール部材の前記一端部に接合され、他端部が前記像保持体に非接触の導電性フィルムと、を備えた現像装置である。
【０００８】
第２態様は、現像剤を外周面に保持した状態で現像容器の開口部から一部が露出し保持した前記現像剤で像保持体に形成された静電潜像を現像する現像剤保持体と、露出した前記現像剤保持体の前記外周面の上方に配置され、一端部が固定され、他端部が前記像保持体に接触したシート状で絶縁性のシール部材であって、前記現像剤保持体の前記外周面の同心円とされ、前記外周面と対向する前記現像容器の内壁の開口部側端部を通る仮想曲線よりも径方向外側に配置されたシール部材と、前記外周面の上方且つ前記仮想曲線よりも外側に配置され、前記シール部材の下面に重ねられ、一端部が前記シール部材の前記一端部に接合され、他端部が前記像保持体に非接触の導電性フィルムと、を備えた現像装置である。
【０００９】
第３態様は、前記シール部材の前記他端部は、前記導電性フィルムの前記他端部よりも前記像保持体側に延びている、第１態様又は第２態様の現像装置である。
【００１０】
第４態様は、前記導電性フィルムの側端部は、前記シール部材の側端部よりも幅方向外側に張り出している、第１態様〜第３態様のいずれか１態様の現像装置である。
【００１１】
第５態様は、前記導電性フィルムの厚みは、前記シール部材の厚みよりも薄い、第１態様〜第４態様のいずれか１態様の現像装置である。
【００１２】
第６態様は、前記導電性フィルムの厚みは、前記シール部材の厚みの１／２以下である、第５態様の現像装置である。
【００１３】
第７態様は、前記導電性フィルムの曲げ剛性は、前記シール部材の曲げ剛性よりも小さい、第１態様〜第４態様のいずれか１態様の現像装置である。
【００１４】
第８態様は、前記導電性フィルムの曲げ剛性は、前記シール部材の曲げ剛性の１／２以下である、第７態様の現像装置である。
【００１５】
第９態様は、前記導電性フィルムは、電気的に浮いている、第１態様〜第８態様のいずれか１態様の現像装置である。
【００１６】
第１０態様は、前記導電性フィルムには、電圧が印加されている、第１態様〜第８態様のいずれか１態様の現像装置である。
【００１７】
第１１態様は、前記導電性フィルムには、前記現像剤と同極性の直流電圧が印加されている、第１０態様の現像装置である。
【００１８】
第１２態様は、前記導電性フィルムには、交流電圧が印加されている、第１０態様に記載の現像装置である。
【００１９】
第１３態様は、前記導電性フィルムには、前記交流電圧に加え、前記現像剤と同極性の直流電圧が重畳されている、第１２態様の現像装置である。
【００２０】
第１４態様は、前記導電性フィルムには、前記現像剤保持体と同じ電圧が印加されている、第１０態様の現像装置である。
【００２１】
第１５態様は、前記導電性フィルムは、前記現像剤保持体に電気的に接続されている、第１４態様の現像装置。
【００２２】
第１６態様は、第１態様〜第１５態様のいずれか１態様の現像装置で像保持体に現像剤像を形成すし、前記像保持体に形成された前記現像剤像を記録媒体に転写する画像形成部と、前記記録媒体に転写された前記現像剤像を定着させる定着装置と、を備えた画像形成装置である。
【発明の効果】
【００２３】
第１態様によれば、現像剤保持体の上方且つ保持した現像剤が接触しない位置に設けるシート状で絶縁性のシール部材のみを備えている場合と比較し、現像剤保持体への現像剤の落下を抑制することができる。
【００２４】
第２態様によれば、現像剤保持体の上方且つ仮想曲線よりも径方向外側に設けるシート状で絶縁性のシール部材のみを備えている場合と比較し、現像剤保持体への現像剤の落下を抑制することができる。
【００２５】
第３態様によれば、導電性フィルムの他端部がシール部材の他端部よりも像保持体側に延びている場合と比較し、像保持体が保持する像の乱れを抑制することができる。
【００２６】
第４態様によれば、シール部材の側端部が導電性フィルムの側端部よりも幅方向外側に張り出している場合と比較し、現像剤保持体への現像剤の落下を抑制することができる。      
【００２７】
第５態様によれば、導電性フィルムの厚みがシール部材の厚みよりも厚い場合と比較し、像保持体に接触したシール部材の湾曲形状を維持することができる。
【００２８】
第６態様によれば、導電性フィルムの厚みがシール部材の厚みの１／２よりも厚い場合と比較し、像保持体に接触したシール部材の湾曲形状を維持することができる。
【００２９】
第７態様によれば、導電性フィルムの曲げ剛性がシール部材の曲げ剛性よりも大きい場合と比較し、像保持体に接触したシール部材の湾曲形状を維持することができる。
【００３０】
第８態様によれば、導電性フィルムの曲げ剛性がシール部材の曲げ剛性の１／２よりも大きい場合と比較し、像保持体に接触したシール部材の湾曲形状を維持することができる。
【００３１】
第９態様によれば、導電性フィルムが接地されている場合と比較し、現像剤保持体への現像剤の落下を抑制することができる。
【００３２】
第１０態様によれば、導電性フィルムが接地されている場合と比較し、現像剤保持体への現像剤の落下を抑制することができる。
【００３３】
第１１態様によれば、導電性フィルムに、現像剤と逆極性の直流電圧が印加されている場合と比較し、現像剤保持体への現像剤の落下を抑制することができる。
【００３４】
第１２態様によれば、導電性フィルムが接地されている場合と比較し、現像剤保持体への現像剤の落下を抑制することができる。
【００３５】
第１３態様によれば、導電性フィルムに、交流電圧のみが印加されている場合と比較し、現像剤保持体への現像剤の落下を抑制することができる。
【００３６】
第１４態様によれば、導電性フィルムが現像剤保持体よりも低い電圧が印加されている場合と比較し、現像剤保持体への現像剤の落下を抑制することができる。
【００３７】
第１５態様によれば、導電性フィルムが電源から電圧が印加されている場合と比較し、現像剤保持体と同じ電圧を導電性フィルムに容易に印加することができる。
【００３８】
第１６態様によれば、第１態様〜第１５態様のいずれか１態様の現像装置で像保持体に現像剤像を形成する画像形成部以外の画像形成部を備えている場合と比較し、画質低下を抑制することができる。
【図面の簡単な説明】
【００３９】
【図１】実施形態の画像形成装置の構成図である。
【図２】図１の現像装置の構成図である。
【図３】図２の現像装置の要部を拡大した拡大構成図である。
【図４】（Ａ）はシールアッセンブリーの平面図であり、（Ｂ）は断面図である。
【図５】電源装置及び現像ロールのブロック図である。
【図６】第一変形例の電源装置、現像ロール及び導電性フィルムのブロック図である。
【図７】第二変形例の電源装置、現像ロール及び導電性フィルムのブロック図である。
【発明を実施するための形態】
【００４０】
＜実施形態＞
本発明の一実施形態に係る画像形成装置について説明する。なお、装置の前後方向をＸ方向、左右方向をＹ方向、上下方向をＺ方向とし、それぞれ矢印Ｘ、Ｙ、Ｚで示す。図中、「○」の中に「・」が記載されたものは、紙面に直交する矢印Ｙを意味するものである。また、これらの図１におけるＸ方向の左方向を前側、Ｙ方向の紙面の裏から表に向かう方向を右側、Ｚ方向の上方向を上側とし、これらと反対方向を、後側、左側、下側とする。
【００４１】
（全体構成）
まず、画像形成装置１０の全体構成について説明する。
【００４２】
図１に示すように、画像形成装置１０は、画像形成部５０、電源装置９０、定着装置２０及び給紙装置４０等を有している。
【００４３】
画像形成部５０は、感光体６０、転写ロール３０、帯電器５２、露光装置５４、現像装置１００（図２も参照）及びクリーニング装置５６を備えている。帯電手段の一例としての帯電器５２は、像保持体の一例としての円筒状の感光体６０の外周面６０Ａを帯電させる。静電潜像形成手段の一例としての露光装置５４は、外周面６０Ａが帯電した感光体６０に画像データに基づいて光を照射して感光体６０に静電潜像を形成する。クリーニング装置５６は、トナー像が転写された後の感光体６０に残留するトナー等を清掃し回収する。転写ロール３０は、電源装置９０から転写電圧が印加され、感光体６０の外周面６０Ａに形成された現像剤像の一例としてのトナー像を、搬送経路に沿って搬送されるシート材Ｐに転写ニップＴＮにて転写する。
【００４４】
現像装置１００は、感光体６０に形成された静電潜像に現像剤の一例としてのトナーを選択的に転移しトナー像として可視化する。なお、現像装置１００の詳細は後述する。
【００４５】
定着装置２０は、加熱ロール２２及び加圧ロール２４を備えており、これら加熱ロール２２と加圧ロール２４との間をシート材Ｐが通過することで、シート材Ｐに転写されたトナー像が、熱と圧力とによってシート材Ｐに定着する。
【００４６】
定着装置２０の搬送方向下流側には、トナー像が定着されたシート材Ｐを排出部１２に排出する排出ロール１４、１６等が設けられている
【００４７】
画像形成装置１０の下部には、シート材Ｐを一枚ずつ給紙する給紙装置４０が設けられている。給紙装置４０は、記録媒体の一例としての記録用紙等のシート材Ｐが複数枚積載された収容部４２を備えている。この収容部４２に積載されたシート材Ｐは、取出ロール４４及び捌きロール４６によって順次取り出され、一枚ずつ搬送される。そして、シート材Ｐの搬送経路に沿って搬送方向下流側へ搬送される。
【００４８】
搬送されたシート材Ｐは、搬送経路に設けられたレジストロール対４８によって、予め設定されたタイミングで転写ニップＴＮに搬送される。
【００４９】
（画像形成工程）
次に、画像形成装置１０の画像形成工程について説明する。
【００５０】
まず、帯電器５２が感光体６０の外周面６０Ａを帯電させる。続いて、図示していないスキャナによって読み取られた画像データ又は外部から送られたデータに基づいて露光装置５４が帯電された感光体６０の外周面６０Ａを露光し、感光体６０の外周面６０Ａに静電潜像を形成する。そして、現像装置１００が静電潜像を現像し、トナー像として可視化する。
【００５１】
一方、収容部４２から搬送経路にシート材Ｐが送り出される。搬送経路に送り出されたシート材Ｐは、レジストロール対４８によって、予め設定されたタイミングで、トナー像を保持した感光体６０と転写ロール３０との間に形成された転写ニップＴＮに送られ、転写ロール３０によってトナー像がシート材Ｐに転写される。
【００５２】
シート材Ｐに転写されたトナー像は、定着装置２０の加熱ロール２２と加圧ロール２４との間を通過することで、シート材Ｐに定着される。トナー像が定着したシート材Ｐは排出ロール１４、１６によって排出部１２に排出される。
【００５３】
（現像装置の詳細）
次に、現像装置１００の詳細について説明する。なお、感光体６０の回転方向を矢印Ｋ１で示し、後述する現像ロール１５０の回転方向を矢印Ｋ２で示している。
【００５４】
図１及び図２に示すように、現像装置１００は、内部に現像剤の一例としてのトナーＭ（図３参照）が収容される現像容器１０２を有している。現像容器１０２の前側上面には、補給部の一例としてのトナー補給口１０４が形成されている。トナー補給口１０４には、筒状のトナー補給路１１０が接続されている。トナー補給路１１０の内部には、トナー搬送部材１１１が回転可能に支持されている。
【００５５】
図１に示すように、トナー補給路１１０の前側端部には、トナーの収容容器の一例としてのトナーカートリッジ１１４が着脱可能に接続されている。そして、トナーカートリッジ１１４の流出口１１６からトナー補給路１１０にトナーが流入するように構成されている。
【００５６】
図１及び図２に示すように、現像容器１０２内には、撹拌部材の一例としての一対の循環搬送部材１２２、１２３がＹ方向に沿って設けられている。
【００５７】
現像容器１０２内には、現像剤保持体の一例としての現像ロール１５０がＹ方向に沿って設けられている。現像ロール１５０は、内部に複数の磁極で構成されるマグネットロールを有している。そして、このマグネットロールの磁力によって、現像ロール１５０の外周面１５０ＡにトナーＭ（図３参照）が保持される。なお、マグネットロールの図示は省略されている。
【００５８】
図２及び図３に示すように、現像容器１０２には、感光体６０に対向する部位に開口部１３０が形成され、この開口部１３０から現像ロール１５０の一部が露出している。現像容器１０２は、現像ロール１５０の上方に、現像ロール１５０の外周面１５０Ａと間隔をあけて形成された湾曲部１１２が形成されている。この湾曲部１１２の感光体６０側の端部は、前述した開口部１３０の上縁部を構成する。
【００５９】
現像容器１０２には、棒状の規制部材１２０が現像ロール１５０の外周面１５０Ａに対向して配置されている。規制部材１２０は、現像容器１０２の湾曲部１１２における現像ロール１５０の外周面１５０Ａと対向する内壁１１２Ａに設けられている。そして、規制部材１２０と現像ロール１５０の外周面１５０Ａとの間をトナーＭが通過することで、感光体６０と対向する現像領域ＧＲに搬送されるトナーＭの量が規制されると共にトナー層ＭＴが形成される。
【００６０】
なお、図３におけるトナー層ＭＴの層厚、現像ロール１５０の外周面１５０Ａと規制部材１２０との間隔及び現像ロール１５０の外周面１５０Ａと感光体６０の外周面６０Ａとの間隔は、実際の層厚及び間隔を正確に図示しているものではない。また、トナー層ＭＴを構成する磁気ブラシ等が、内壁１１２Ａに接触してもよい。
【００６１】
図５に示すように、現像ロール１５０は、電源装置９０（図１も参照）に電気的に接続され、交流電圧に直流電圧が重畳された現像バイアスが印加されている。なお、直流電圧は、トナーＭの帯電特性と同極性である。
【００６２】
そして、図２及び図３に示す現像ロール１５０の外周面１５０Ａと感光体６０の外周面６０Ａとが対向し近接する現像領域ＧＲにおいて、感光体６０の静電潜像は、現像バイアスによってトナーＭで現像され可視化される。
【００６３】
現像容器１０２の湾曲部１１２の外壁部１１２Ｂには、シート状で絶縁性のシール部材２００の一端部２０２が固定されている。このシール部材２００の他端部２０４は感光体６０の外周面６０Ａに接触し、感光体６０の回転方向に湾曲している。
【００６４】
また、このシール部材２００の下面２００Ａには、導電性フィルム２２０が重ねられている。導電性フィルム２２０の一端部２２２は、シール部材２００の一端部２０２の下に重ねられ、湾曲部１１２の外壁部１１２Ｂに固定されている。導電性フィルム２２０はシール部材２００よりも短く、その他端部２２４は感光体６０の外周面６０Ａに非接触である。また、導電性フィルム２２０の他端部２２４は、シール部材２００の他端部２０４に沿って湾曲している。
【００６５】
図４（Ａ）に示すように、導電性フィルム２２０の側端部２２６、２２７は、シール部材２００の側端部２０６、２０７よりも幅方向外側に張り出している。なお、幅方向とは、シール部材２００及び導電性フィルム２２０を現像容器１０２に固定した状態では、Ｙ方向であり、感光体６０及び現像ロール１５０の軸方向と同方向である。また、幅方向と直交する面内方向を長さ方向とする。
【００６６】
また、本実施形態では、導電性フィルム２２０は、電気的に浮いている状態となっている。
【００６７】
図２及び図３に示すように、シール部材２００及び導電性フィルム２２０は、開口部１３０から露出した現像ロール１５０の外周面１５０Ａの上方且つ外周面１５０Ａが保持しているトナー層ＭＴに接触しない位置に設けられている。言い換えると、シール部材２００及び導電性フィルム２２０は、規制部材１２０と現像領域ＧＲとの間の現像剤Ｍよりも径方向外側に位置している。
【００６８】
別の観点から説明すると、図３に示すように、シール部材２００及び導電性フィルム２２０は、開口部１３０から露出した現像ロール１５０の外周面１５０Ａの上方且つ、現像ロール１５０の外周面１５０Ａの同心円とされ、外周面１５０Ａと対向する現像容器１０２の湾曲部１１２における規制部材１２０と現像領域ＧＲとの間の内壁１１２Ａの開口部側端部１１２ＡＢを通る仮想曲線Ｆよりも径方向外側に配置されている。
【００６９】
なお、「開口部１３０から露出した現像ロール１５０の外周面１５０Ａの上方」を別の観点から説明すると、平面視において、シール部材２００及び導電性フィルム２２０が、開口部１３０から露出した現像ロール１５０の外周面１５０Ａに重なった状態である。
【００７０】
本実施形態では、湾曲部１１２の外壁部１１２Ｂに両面テープ２３２（図４（Ｂ）を参照）によって導電性フィルム２２０の一端部２２２が貼られ、この導電性フィルム２２０の一端部２２２の上に両面テープ２３４（図４（Ｂ）参照）によって、シール部材２００の一端部２０２が貼られている。
【００７１】
よって、本実施形態では、シール部材２００と導電性フィルム２２０とは、一端部２０２、２２２のみで接合され、他の領域は、湾曲状態において互いに接触しているが、接合はされていない状態となっている。なお、本実施形態における「一端部２０２、２２２」とは、外壁部１１２Ｂから感光体６０側に張り出していない部位の全体又はその一部である。
【００７２】
また、本実施形態では、図４に示すように、シール部材２００の一端部２０２と導電性フィルム２２０の一端部２２２とが予め両面テープ２３４（図４（Ｂ）参照）で一体化され、更に導電性フィルム２２０の一端部２２２に両面テープ２３２が接合された状態のシールアッセンブリー２５０となっている。
【００７３】
なお、図４（Ａ）は、底面図であるが、判り易くするために４（Ｂ）と同様のハッチングを図示している。また、図４（Ｂ）では、シール部材２００と導電性フィルム２２０とは、判り易くするため非接触で図示しているが、前述のように実際は接触している。
【００７４】
そして、図２及び図３に示すように、シールアッセンブリー２５０を両面テープ２３２（図４参照）で、湾曲部１１２の外壁部１１２Ｂに貼り付けることで、湾曲部１１２の外壁部１１２Ｂに、シール部材２００と導電性フィルム２２０とが重ねられた状態で固定される。
【００７５】
導電性フィルム２２０は、シール部材２００よりも薄く、本実施形態では１／２以下の厚みである。また、導電性フィルム２２０は、シール部材２００よりも曲げ剛性が小さく、本実施形態では１／２以下の曲げ剛性である。
【００７６】
なお、本実施形態では、絶縁性のシール部材２００は、厚さ約１００μｍのポリウレタンシートで構成され、その電気抵抗値は２×１０１１〜１０１５Ωである。また、本実施形態では、導電性フィルム２２０は、表面に導電性層が形成されたポリエチレンテフタレート樹脂製のシート材であるカーボンフェザー（登録商標）を用い、その厚さは約４１ｕｍで表面抵抗値は１０４Ωである。
【００７７】
＜作用＞
次に、本実施形態の作用について説明する。
【００７８】
シール部材２００の下面２００Ａに導電性フィルム２２０が重ねられていない、つまりシール部材２００のみが設けられている場合、現像ロール１５０の外周面１５０Ａに保持されたトナーＭが飛散し浮遊している浮遊トナーが、シール部材２００の下面２００Ａに静電気によって多量に付着する場合がある。
【００７９】
そして、シール部材２００の下面２００Ａに付着した浮遊トナーが振動等によって落下し、現像ロール１５０の外周面１５０Ａにおける規制部材１２０によって層形成されたトナー層ＭＴに付着すると、現像領域ＧＲにて感光体６０に付着し、画質不良の原因になる。
【００８０】
しかし、本実施形態では、シール部材２００の下面２００Ａに導電性フィルム２２０が重ね合わされているので、シール部材２００及び導電性フィルム２２０への浮遊トナーの静電気による付着が抑制される。よって、シール部材２００及び導電性フィルム２２０に付着した浮遊トナーのトナー層ＭＴへの落下が抑制され、その結果、画質不良が抑制される。
【００８１】
また、シール部材２００は他端部２０４が感光体６０に接触しているので、シール効果が確保されると共に、導電性フィルム２２０はシール部材２００よりも短く、感光体６０に接触していないので、感光体６０に形成された静電潜像が乱されない。
【００８２】
このように、現像ロール１５０の上方且つ保持したトナーＭが接触しない位置に設けるシール部材２００のみを備えている場合と比較し、現像ロール１５０が保持するトナー層ＭＴへのトナーの落下が抑制される
【００８３】
また、導電性フィルム２２０の側端部２２６、２２７はシール部材２００の側端部２０６、２０７よりも幅方向外側に張り出しているので、シール部材２００の側端部２０６、２０７が導電性フィルム２２０の側端部２２６、２２７よりも幅方向外側に張り出し、シール部材２００の側端部２０６、２０７が露出している場合と比較し、シール部材２００の下面２００Ａへの静電気による浮遊トナーの付着が抑制される。
【００８４】
また、導電性フィルム２２０はシール部材２００よりも薄いので、導電性フィルム２２０がシール部材２００よりも厚い場合と比較し、感光体６０に他端部２０４が接触したシール部材２００の湾曲形状に導電性フィルム２２０が沿って湾曲する。よって、シール部材２００の湾曲形状が維持されるので、シール効果が確保される。
【００８５】
更に、導電性フィルム２２０の厚みは、シール部材２００の１／２以下の厚みであるので、導電性フィルム２２０がシール部材２００の１／２よりも厚い場合と比較し、感光体６０に他端部２０４が接触したシール部材２００の湾曲形状が更に効果的に維持されるので、シール効果が更に効果的に確保される。
【００８６】
また、導電性フィルム２２０はシール部材２００よりも曲げ剛性が小さいので、導電性フィルム２２０がシール部材２００よりも曲げ剛性が大きい場合と比較し、感光体６０に他端部２０４が接触したシール部材２００の湾曲形状に導電性フィルム２２０が沿って湾曲する。よって、シール部材２００の湾曲形状が維持されるので、シール効果が確保される。
【００８７】
更に、導電性フィルム２２０の曲げ剛性は、シール部材２００の曲げ剛性の１／２以下であるので、導電性フィルム２２０の曲げ剛性が１／２よりも大きい場合と比較し、感光体６０に他端部２０４が接触したシール部材２００の湾曲形状が更に効果的に維持されるので、シール効果が更に効果的に確保される。
【００８８】
また、本実施形態では、シール部材２００と導電性フィルム２２０とは、一端部２０２、２２２のみが接合されている。よって、シール部材２００と導電性フィルム２２０とが全面に渡って接合されている場合と比較し、感光体６０に他端部２０４が接触したシール部材２００の湾曲形状に導電性フィルム２２０が追従しやすい。したがって、シール部材２００の湾曲形状が効果的に維持されるので、シール効果が確保される。
【００８９】
また、導電性フィルム２２０は、電気的に浮いている。よって、導電性フィルム２２０が電気的に接地されている場合と比較し、シール部材２００及び導電性フィルム２２０への静電気による浮遊トナーの付着が抑制される。
【００９０】
＜変形例＞
次に、本実施形態の変形例について説明する。
【００９１】
［第一変形例］
先ず、第一変形例について説明する。
【００９２】
図６に示すように、本変形例では、導電性フィルム２２０は、現像ロール１５０と電気的に接続されている。よって、導電性フィルム２２０には、現像ロール１５０と同じ現像バイアスが印加される。
【００９３】
（作用）
次に本変形例の作用について説明する。
【００９４】
前述したように、現像バイアスの直流電圧は、トナーＭの帯電特性と同極性であるので、導電性フィルム２２０に対して浮遊トナーには斥力が作用する。したがって、導電性フィルム２２０にトナーＭの帯電特性と逆極性の直流電圧が印加されている場合と比較し、シール部材２００及び導電性フィルム２２０への静電気による浮遊トナーの付着が抑制される。
【００９５】
また、本実施形態では、現像バイアスには、交流電圧が印加されているので、導電性フィルム２２０に対して浮遊トナーが電気的に振動する。したがって、導電性フィルム２２０に直流電圧のみが印加されている場合と比較し、シール部材２００及び導電性フィルム２２０への静電気による浮遊トナーの付着が抑制される。
【００９６】
また、導電性フィルム２２０と現像ロール１５０とは同電位であるので、導電性フィルム２２０と現像ロール１５０との間に電界が生じない。よって、浮遊トナーには、電界による力が働かない。よって、シール部材２００及び導電性フィルム２２０への静電気による浮遊トナーの付着が抑制される。
【００９７】
また、導電性フィルム２２０が電源装置９０から電圧が印加されている場合と比較し、現像バイアスと同じ電圧を導電性フィルム２２０に容易に印加することができる。
【００９８】
［第二変形例］
次に、第二変形例について説明する。
【００９９】
図７に示すように、本変形例では、導電性フィルム２２０は、電源装置９０に電気的に接続され、電圧が印加されている。電源装置９０が導電性フィルム２２０に印加する電圧は、トナーＭと同極性の直流電圧及び交流電圧の少なくとも一方が印加されている。
【０１００】
なお、直流電圧及び交流電圧のそれぞれの電圧値は、現像バイアスと同じでもよいし、異なっていてもよい。
【０１０１】
（作用）
次に本変形例の作用について説明する。
【０１０２】
トナーＭの帯電極性と同極性の直流電圧が印加されている場合は、導電性フィルム２２０に対して浮遊トナーには斥力が作用する。したがって、導電性フィルム２２０にトナーＭの帯電特性と逆極性の直流電圧が印加されている場合と比較し、シール部材２００及び導電性フィルム２２０への静電気による浮遊トナーの付着が抑制される。
【０１０３】
交流電圧が印加されている場合は、導電性フィルム２２０に対して浮遊トナーが電気的に振動する。したがって、導電性フィルム２２０が電気的に接地されている場合と比較し、シール部材２００及び導電性フィルム２２０への静電気による浮遊トナーの付着が抑制される。
【０１０４】
現像ロール１５０と同じ電圧が印加されている場合は、浮遊トナーには電界による力が働かないので、シール部材２００及び導電性フィルム２２０への静電気による浮遊トナーの付着が抑制される。
【０１０５】
＜その他＞
尚、本発明は、上記実施形態に限定されない。
【０１０６】
例えば、上記実施形態及び変形例では、導電性フィルム２２０は、電気的に浮いている状態又は電圧が印加されていたが、これらに限定されない。導電性フィルム２２０が電気的に接地されていてもよい。
【０１０７】
また、例えば、上記実施形態及び変形例では、シール部材２００と導電性フィルム２２０とが接合されている一端部２０２、２２２は、外壁部１１２Ｂから張り出していない部位の全体又はその一部であったが、これに限定されない。外壁部１１２Ｂから張り出している部位の一部も一端部とし、接合されていてもよい。なお、外壁部１１２Ｂから張り出している部位の接合長は、張り出している長さ全体の１／２以下であることが望ましい。
【０１０８】
また、画像形成装置の構成としては、上記実施形態の構成に限られず種々の構成とすることが可能である。更に、本発明の要旨を逸脱しない範囲において、種々なる態様で実施し得る。
【符号の説明】
【０１０９】
１０      画像形成装置
２０      定着装置
５０      画像形成部
６０      感光体（像保持体の一例）
１００      現像装置
１０２      現像容器
１１２Ａ    内壁
１１２ＡＢ  開口部側端部
１２０      規制部材
１３０      開口部
１５０      現像ロール
１５０Ａ    外周面
２００      シール部材
２００Ａ    下面
２０２      他端部
２０２      一端部
２０４      他端部
２０６      側端部
２０７      側端部
２２０      導電性フィルム
２２２      一端部
２２４      他端部
２２６      側端部
２２７      側端部
Ｆ      仮想曲線
ＧＲ      現像領域
Ｍ      トナー
ＭＴ      トナー層
【図１】
2020154206.tif 000003
【図２】
2020154206.tif 000004
【図３】
2020154206.tif 000005
【図４】
2020154206.tif 000006
【図５】
2020154206.tif 000007
【図６】
2020154206.tif 000008
【図７】
2020154206.tif 000009